(57)【要約】  本発明に係るトリマーヘッド（１）は、回転軸線（Ａ−Ａ）、ハウジング（３）、ハウジングに挿入可能なスプール（１３）を備え、前記スプール（１３）がその周りに切断ライン（Ｆ）のストックを巻き取るように構成され、かつ、配置されている。前記スプールは、その間に切断ラインを固定するために固定要素（１５）がのびるフランジ（１３Ａ、１３Ｂ）を有する。【選択図】  図３
2018529366.tif 000002
【特許請求の範囲】
【請求項１】
回転軸線と、ハウジングと、ハウジングに挿入可能であり、その周りに切断ラインのストックを巻くように構成及び配置されたスプールとを備え、前記スプールが、スプール軸線の周りでのびる少なくとも一つの第一フランジを有し、
ハウジングの内側から外側に切断ラインを通過させるための少なくとも二つの切断ライン通過孔を有するトリマーヘッドにおいて、
前記スプールが、少なくとも一つの切断ライン固定要素を有し、前記固定要素が、スプール軸線から離間して前記第一フランジからのびている
ことを特徴とするトリマーヘッド。
【請求項２】
スプール軸線が、スプールをハウジングに挿入した時に、トリマーヘッドの回転軸線と実質的に一致する
ことを特徴とする請求項１に記載のトリマーヘッド。
【請求項３】
前記少なくとも一つの切断ライン固定要素が、スプール軸線に実質的に並行に伸びている
ことを特徴とする請求項１又は２に記載のトリマーヘッド。
【請求項４】
前記二つの切断ライン通過孔を介してハウジングを横切って導入される切断ラインが、前記スプールをハウジングに対して回転させることによってスプールに固定されたままになり、前記回転によって、前記少なくとも一つの切断ライン固定要素の周りに切断ラインが巻かれるように、前記切断ライン固定要素が配置及び構成されている
ことを特徴とする請求項１〜３の何れか一項に記載のトリマーヘッド。
【請求項５】
複数の切断ライン固定要素が、相互に角度を付けて離間され、連続して配置された切断ライン固定要素間に切断ラインの挿入用の空間を形成し、前記切断ライン固定要素が、スプール軸線から離間して、第一フランジからのびる
ことを特徴とする請求項１〜４の何れか一項に記載のトリマーヘッド。
【請求項６】
スプールが、第一フランジから軸方向に離間した第二フランジを有し、
前記切断ライン固定要素が、第一フランジから第二フランジに向けてのびている
ことを特徴とする請求項１〜５の何れか一項に記載のトリマーヘッド。
【請求項７】
スプールが、スプール軸線を囲み、第一フランジからスプール軸線とほぼ並行にのびる中央壁を備え、
切断ライン固定要素が、前記壁に設けられている
ことを特徴とする請求項１〜６の何れか一項に記載のトリマーヘッド。
【請求項８】
切断ライン固定要素が、中央壁と一体であり、前記中央壁が切断ライン固定要素間に開口を有する
ことを特徴とする請求項７に記載のトリマーヘッド。
【請求項９】
切断ライン固定要素が、中央壁の径方向外側に配置される
ことを特徴とする請求項７に記載のトリマーヘッド。
【請求項１０】
ハウジングの内部に、少なくとも一対の周辺ガイドが配置され、前記ガイドが、前記二つの切断ライン通過孔の少なくとも一方に向けて収束する
ことを特徴とする請求項１〜９の何れか一項に記載のトリマーヘッド。
【請求項１１】
ハウジングの内部に、二対の周辺ガイドが設けられ、各対のガイドが、前記二つの切断ライン通過孔の各一方に向けて収束する
ことを特徴とする請求項１〜８の何れか一項に記載のトリマーヘッド。
【請求項１２】
各周辺ガイドが、トリマーヘッドの回転軸線の周りで、少なくとも、約２０°の円弧、好ましくは、少なくとも約３０°の円弧、より好ましくは少なくとも約４０°の円弧、より好ましくは約６０°の円弧で各切断ライン通過孔からのびている
ことを特徴とする請求項１０又は１１に記載のトリマーヘッド。
【請求項１３】
周辺ガイドが、トリマーヘッドのハウジングに配置されたインサート上に設けられている
ことを特徴とする請求項１０、１１又は１２に記載のトリマーヘッド。
【請求項１４】
各対の周辺ガイドが、切断ライン用の出口ブッシュを形成する中心部分を備えたインサートに設けられている
ことを特徴とする請求項１３に記載のトリマーヘッド。
【請求項１５】
各インサートが、ハウジングとは別体の構成要素によって形成され、ハウジングの内部に適用可能に構成されている
ことを特徴とする請求項１３又は１４に記載のトリマーヘッド。
【請求項１６】
各インサートが、径方向に突出する中央本体を有し、それを通して切断ライン開口がのび、中央本体が、対応する切断ライン通過孔に挿入され、かつ、その中に残るように構成され、かつ、配置される
ことを特徴とする請求項１５に記載のトリマーヘッド。
【請求項１７】
前記切断ライン固定要素の一つ又は複数が、スプール軸線と実質的に並行にのびるピンによって形成されている
ことを特徴とする請求項１〜１６の何れか一項に記載のトリマーヘッド。
【請求項１８】
前記切断ライン固定要素の一つ又は複数がフィン形状である
ことを特徴とする請求項１〜１７の何れか一項に記載のトリマーヘッド。
【請求項１９】
切断ライン固定要素が、スプールの第一フランジと一部品に成形されている
ことを特徴とする請求項１〜１８の何れか一項に記載のトリマーヘッド。
【請求項２０】
切断ライン固定要素が、フランジと別体に成形され、フランジに適用されるスプールの構成要素に設けられる
ことを特徴とする請求項１〜１８の何れか一項に記載のトリマーヘッド。
【請求項２１】
回転軸と、少なくとも二つの切断ライン通過孔を有するハウジングと、ハウジングの内部に収容されたスプールとを有し、
前記スプールが少なくとも一つの第一フランジと、スプール軸線から離間して配置され、第一フランジから回転軸とほぼ並行にのびる少なくとも一つの切断ライン固定要素を備えている
トリマーヘッド内で切断ラインのストックを巻き取る方法であって、
該方法が、
前記少なくとも二つの切断ライン通過孔の第一の通過孔を通して切断ラインの一方の端部を挿入するステップ、
トリマーヘッドの回転軸と、切断ライン固定要素との間で、前記二つの切断ライン通過孔の第二の通過孔に向けて切断ラインの端部を案内するステップと、
切断ラインの端部を、第二切断ライン通過孔に挿入し、その端部を、第二切断ライン通過孔を通してハウジングから出すステップと、
ハウジングを通して一定量の切断ラインをスライドさせるステップと、
二つの切断ライン通過孔に対してハウジング内でスプールを回転させ、切断ライン固定要素の周りに前記切断ラインのループを形成し、ある長さの切断ラインをスプール上に巻取り、スプール上に前記少なくとも一つ切断ライン固定要素の周りに巻かれた一連のラインターンを形成し、切断ラインを、前記切断ライン長の中間部分でスプールに拘束し、二つの切断ライン通過孔を通してハウジングの外部に二つのラインセグメントが突出したまま残るようにするステップと
を有することを特徴とするトリマーヘッド内で切断ラインのストックを巻き取る方法。
【請求項２２】
スプールが、前記第一フランジから、回転軸線と実質的に並行にのびる中央壁を備え、
切断ラインが、前記壁と前記少なくとも一つの固定要素との間を通過するようにした
ことを特徴とする請求項２１に記載の方法。
【請求項２３】
前記スプールが、複数の切断ライン固定要素を備え、
前記固定要素が、回転軸の周りで相互に角度を付けて離間して配置され、かつ、前記回転軸から離間され、
前記切断ラインが、連続して配置された切断ライン固定要素の間の空間を通して導入され、前記複数の切断ライン固定要素の周りに巻かれ、
前記切断ライン固定要素の周りに前記一連のラインターンが形成される
ことを特徴とする請求項２０又は２１に記載の方法。
【発明の詳細な説明】
【技術分野】
【０００１】
本発明は園芸製品の分野に関する。より詳細には、本発明は、草木切断部材として、例えばプラスチックで形成されたラインを使用する、刈払機等用のトリマーヘッドの改良に関する。
【背景技術】
【０００２】
素人レベル及び玄人レベルの両方が使用するための園芸用装置の分野では、草木を切断するために刈払機又は他の装置の駆動軸の端部にトリマーヘッドを取り付けて使用することが良く知られている。このタイプの幾つかのトリマーヘッドは、草木を切断するために、合成樹脂、典型的には、ポリアミドで形成したラインを使用する。通常、このラインは、ストックを形成するためにトリマーヘッドの内部で巻かれており、トリマーヘッドのハウジングに設けられた一つ又は複数の孔から出る。トリマーヘッドのハウジングの内部には、通常、切断ラインのストックを形成するスプールが設けられている。使用中に、切断ラインは摩耗して破損する。従って、ハウジングの通過孔を通過して出ている、ある長さの切断ラインは、トリマーヘッドのハウジングの外側の切断ラインが十分な品質を有するように、定期的に交換される。
【０００３】
多数のこの種のトリマーヘッドが存在する。これらは、相互に異なるものであり、例えば、切断ラインストックをハウジングの内部に蓄積する方法、及び使用中に切断ラインが摩耗して破損された後にヘッドから出る切断ライン長を交換するために切断ラインをハウジングから供給する方法において相互に異なる。
【０００４】
幾つかの場合では、ハウジング内部のラインストックを元の状態に戻すために、ハウジングを開き、その内部に収容されたスプールを取出し、スプールに切断ラインを固定し、適当な長さの切断ラインをスプールの周りに巻きつける必要がある。その後、スプールは、ハウジングの中に再び挿入され、一つ又は複数のライン端部が、ハウジングの内部から外部へライン通過孔を通され、その後、ハウジングが閉じられる。この作業は、長く、複雑である。従って、ハウジングを開く必要なく、切断ラインがハウジングを通して径方向に挿入され、そして、切断ラインがスプールの径方向通路に挿入されるトリマーヘッドが開発されている。その後、ハウジングに対してスプールを回転して、次の作業のための切断ラインのストックを形成する一連のラインターンをスプール内に形成する。
【０００５】
米国特許公開US-A-2015/0150191（特許文献１）には、ハウジングを備えた切断ヘッドと、その中に配置されるスプールが開示されている。ハウジング内の二つの径方向に配置された孔が、ハウジングを横切って切断ラインを導入するために使用される。スプールには、スプールの直径に沿ってのび、その軸線を通る貫通孔が設けられる。切断ラインは、ハウジングの二つの対向する孔を通過し、かつ、スプールに固定するためにスプールの径方向に配置された孔を通過するよう案内されなければならない。この作業は、難しく、時間がかかる。
【０００６】
これらのシステムは、切断ラインを交換するためにハウジングを開く必要があるものよりも実用性があるとしても、切断ラインをスプール孔に通すことが困難であるために、幾つかの欠点を有する。
【０００７】
従って、現在のトリマーヘッドの欠点を軽減又は解決する上述したタイプのトリマーヘッドを提供することが必要である。
【先行技術文献】
【特許文献】
【０００８】
【特許文献１】米国特許公開US-A-2015/0150191号
【発明の概要】
【０００９】
本発明の一つの特徴によれば、回転軸、ハウジング、ハウジングに挿入可能なスプールを備え、切断ラインストックを、スプールの周囲に巻き取るように構成され、かつ、配置されたトリマーヘッドが提供される。スプールは、スプール軸線の周りにのびる少なくとも一つのフランジを有する。ハウジングは、少なくとも二つの切断ライン通過孔を備え、これらは、好ましくは、ほぼ径方向に対向する位置に設けられ、それらを通して、切断ラインがハウジングの内部から外部に通る。例えば、切断ラインをスプールに装填する必要がある時に、ハウジングを開くことなく、切断ラインをスプールに簡単に、かつ、急速に固定することを可能にするために、スプールは、少なくとも一つの切断ライン固定要素を有し、前記固定要素は、第一フランジからのび、スプールの軸線から離間している。前記固定要素は、例えば、円形断面を有する柱状若しくはピン状に形成され得、又は、細長い形状若しくは任意の他の適当な形状を有し得、かつ、スプール軸線にほぼ並行にのび得る。
【００１０】
このような構造により、切断ラインストックをスプールに装填する必要がある場合に、ラインは、ヘッドに設けられた二つの切断ライン通過孔の一方を通して挿入され、それが反対側の切断ライン通過孔から出るまで、ハウジングに押し込まれる。ラインは、軸線から外れた位置にある切断ライン固定要素とスプール軸線との間を（又は、スプール軸線を横切って）通過する。このようにして、ハウジングに対してスプールを回転させることによって、切断ラインはスプールに固定されたまま、巻き取られ得る。ハウジングに対してスプールを回転させることにより、切断ラインが、固定要素の周りに固定ループを形成する。従って、スプール軸線を横切って伸びる貫通孔を設ける必要がなく、切断ラインをハウジングの二つの孔及びスプールの孔に通す必要もない。
【００１１】
切断ラインの固定は、非常に簡単にかつ迅速に行われる。
【００１２】
本発明の幾つかの実施例についての以下の詳細な説明から明らかなように、このシステムによれば、切断ラインを非常に簡単に交換することが可能になる。特に、外側ハウジングに対してスプールを、角度を決めて位置決めする必要がないライン交換システムが提供され得る。ラインは、ハウジングに対するスプールの角度位置に関係なく（従って、特に、ラインを通す切断ライン通過孔に対するスプールの角度位置に関係なく）、スプールに固定され得る。
【００１３】
スプールは、一つのフランジだけを有することができる。しかしながら、幾つかの実施例では、スプールは、好ましくは二つのフランジを有し、これらのフランジは相互に軸方向に離間され、その間に、切断ラインのストックが巻かれる空間が設けられる。有利な実施例では、切断ライン固定要素は、一方のフランジから他方のフランジに向けてのび、場合によっては、一方のフランジから他方のフランジまでのびてもよい。各フランジ、又はこれらのフランジの一つだけが、他のフランジに向けてのびる中央壁を有し得る。切断ライン固定要素は、一方のフランジの前記中央壁から他方のフランジまでのび得る。
【００１４】
固定要素は、スプールと一体的に形成され得、例えば、一つのフランジ又はその両方のフランジと一体的に形成され得る。別の実施例では、固定要素は、スプールのフランジに機械的に連結される別体の構成要素に形成され得る。
【００１５】
たとえ、一つの固定要素で十分だとしても、より効果的な固定及び動的によりバランスがとれたスプールを得るために、幾つかの実施例では、スプールは、複数の切断ライン用の固定要素を有し得、これらは、相互に角度を付けて離間され、第一フランジからのび、スプール軸から離され、即ち、スプールに対する軸から外れた位置にある。連続的に配置された一対の固定要素の間に、切断ラインを導入し得る空間が設けられる。
【００１６】
幾つかの実施例では、スプールは、スプール軸を囲み、かつ、第一フランジからスプール軸に対してほぼ並行にのびる中央壁を有し得る。前記中央壁は、フランジの一部であり得る。中央壁は、円筒状の形状であり得、例えば、公知のライン伸長機構、又は、刈払機若しくは同様の装置の駆動軸にトリマーヘッドを連結するためのピンが、その中に収容され得る。この場合、切断ライン固定要素は中央壁に設けられ得る。この明細書で説明する幾つかの実施例では、固定要素は、スプール軸から中央壁よりも径方向により離間され得、即ち、固定要素は、壁の外側に配置され得る。他の実施例では、固定要素は、中央壁と一体にされ得、かつ、一方のフランジから他方のフランジに向けた方向でのび得る。
【００１７】
幾つかの特に有利な実施例では、ラインが挿入される切断ライン通過孔の反対側にある切断ライン通過孔から切断ラインを出すことを容易にするために、少なくとも一つの切断ライン通過孔に、切断ライン通過孔に向けて収束するガイドが設けられ得る。前記ガイドは、トリマーヘッドに装着された時に、トリマーヘッド及びスプールの軸線に対して実質的に垂直な平面上に、湾曲した伸長部を有し得る。湾曲したガイドが、そこから切断ラインの先端がトリマーヘッドに入れられる切断ライン通過孔の反対側の切断ライン通過孔に切断ラインを挿入することを容易にする。一対の収束するガイドは、好ましくは、各切断ライン通過孔に設けられる。
【００１８】
幾つかの実施例では、ガイドは、例えば、切断ライン通過孔も設けられるハウジングの接線方向壁と一体部品として形成され得る。他の実施例では、ガイドは、ハウジングに挿入されて、それに固定されるハウジングとは別体のインサートとして設けられ得る。インサートは、例えば、ハウジングに設けられた切断ライン通過孔に挿入される切断ライン通過用のブッシュを形成し得る。
【００１９】
トリマーヘッドの、さらなる有利な実施例及び別の特徴は、添付した特許請求の範囲の従属項に記載され、かつ、添付図面に示した実施例を参照して以下に説明される。
【００２０】
別の特徴によれば、トリマーヘッドに切断ラインストックを巻き取る方法が提供され、ここで、トリマーヘッドは、回転軸、少なくとも二つの切断ライン通過孔を備えたハウジング、及びハウジングに収容されたスプールを備え、前記スプールが、少なくとも一つの第一フランジと少なくとも一つの切断ライン固定要素を有し、前記固定要素が、第一フランジから回転軸線とほぼ並行に伸び、スプール軸線から離間されている。
また、この方法は、
前記少なくとも二つの切断ライン通過孔の第一の通過孔に、切断ラインの端部を挿入するステップ、
トリマーヘッドの回転軸線と固定要素との間で、前記二つの切断ライン通過孔の第二の通過孔に向けて、切断ラインの前記端部を案内するステップ、
切断ラインの前記端部を、第二切断ライン通過孔に挿入し、切断ラインの前記端部を、第二切断ライン通過孔を通してハウジングから出すステップ、
一定量の切断ラインを、ハウジングを通してスライドさせるステップ、
ハウジングの内部で、二つの切断ライン通過孔に対してスプールを回転させることによって、ある長さの切断ラインをスプールに巻き取り、前記少なくとも一つの固定要素の周りに巻かれた一連のラインターンをスプール上に形成し、切断ラインを、前記ライン長の中間部分でスプールに拘束し、二つの切断ライン通過孔を通してハウジングの外側に突出する少なくとも二つのラインセグメントを残すステップ
を有する。
【００２１】
本発明は、本発明の非限定的実施例を示す以下の説明及び添付図面によってより良く理解されることになる。
【図面の簡単な説明】
【００２２】
【図１】図１はトリマーヘッドの一実施例の平面図である。
【図２】図２は図１のＩＩ−ＩＩ線断面図である。
【図３】図３は図１のＩＩＩ−ＩＩＩ線断面図である。
【図４】図３は、図１〜図３に示したトリマーヘッドの等角投影図である。
【図５】図５は、図１〜図４に示したトリマーヘッドの等角投影図であり、この図では、ハウジングの上側部分及びラインスプールが部分的に取り除かれている。
【図６】図６（Ａ）〜（Ｃ）は、図１〜図５に示すトリマーヘッドの中に切断ラインを挿入する順序を示している。
【図７】図７（Ａ）〜（Ｅ）は、別の実施例におけるライン交換の動作順序を示している。
【図８】図８（Ａ）〜（Ｅ）は、別の実施例におけるライン交換の動作順序を示している。
【図９】図９は、スプールの一実施例の側面図である。
【図１０】図１０は、スプールの一実施例の等角投影図である。
【図１１】図１１は、図９におけるＸＩ−ＸＩ線に従った平面図である。
【図１２】図１２は、図９及び図１１のスプールの側面図であり、この図では二つの部分に分割されている。
【図１３】図１３は、図９及び図１１のスプールの等角投影図であり、この図では二つの部分に分割されている。
【図１４】図１４は、別の実施例の図１２に対応する側面図である。
【図１５】図１５は、別の実施例の図１３に対応する等角投影図である。
【図１６】図１６は、スプールの別の実施例の側面図である。
【図１７】図１７は、スプールの別の実施例の等角投影図である。
【図１８】図１８は、スプールの別の実施例の側面図である。
【図１９】図１９は、スプールの別の実施例の等角投影図である。
【図２０】図２０は、軸方向内壁を除いた、図９〜図１１のスプールに類似したスプールの側面図である。
【図２１】図２１は、軸方向内壁を除いた、図９〜図１１のスプールに類似したスプールの等角投影図である。
【図２２】図２２は、上側フランジを除いた図２０及び図２１のスプールに類似したスプールを示している。
【図２３】図２３は、上側フランジを除いた図２０及び図２１のスプールに類似したスプールを示している。
【図２４】図２２及び図２３のスプールの変形実施例を示している。
【図２５】図２２及び図２３のスプールの変形実施例を示している。
【図２６】図２６は、先の図面に示したスプールをさらに改良した実施例を示している。
【図２７】図２７は、先の図面に示したスプールをさらに改良した実施例を示している。
【図２８】図２８は、本発明によるトリマーヘッド用のスプールのさらに改良した実施例を示している。
【図２９】図２９は、本発明によるトリマーヘッド用のスプールのさらに改良した実施例を示している。
【図３０】図３０は、制御ボタンを除いたスプールの側面図であり、この図面では、構成要素が分解されている。
【図３１】図３１は、制御ボタンを除いたスプールの等角投影図であり、この図面では、構成要素が分解されている。
【図３２】図３２は、本発明によるトリマーヘッド用スプールのさらに別の実施例の側面図である。
【図３３】図３３は、本発明によるトリマーヘッド用スプールのさらに別の実施例の等角投影図である。
【図３４】図３４は、図３２のXXXIV-XXXIV線から見た平面図である。
【図３５】図３５は、本発明によるトリマーヘッド用スプールのさらに別の実施例の側面図である。
【図３６】図３６は、本発明によるトリマーヘッド用スプールのさらに別の実施例の等角投影図である。
【図３７】図３７は、図３５のXXXVII-XXXVII線から見た平面図である。
【図３８】図３８は、本発明によるトリマーヘッド用スプールのさらに別の実施例の側面図である。
【図３９】図３９は、本発明によるトリマーヘッド用スプールのさらに別の実施例の等角投影図である。
【図４０】図４０は、図３８のXL-XL線から見た平面図である。
【図４１】図４１は、図３８〜図４０のスプールのさらに別の実施例の側面図である。
【図４２】図４２は、図３８〜図４０のスプールのさらに別の実施例の等角投影図である。
【図４３】図４３は、図４１のXLIII-XLIII線から見た平面図である。
【発明を実施するための形態】
【００２３】
以下の実施例の詳細な説明は、添付図面を参照する。異なる図面における同じ符号は、同一又は同等の構成要素を示す。加えて、図面は必ずしも縮尺通りに描かれていない。また、以下の詳細な説明は本発明を限定するものではない。代わりに、本発明の範囲は、添付の特許請求の範囲によって画定される。
【００２４】
明細書を通して参照する「一実施例」、「ある実施例」又は「幾つかの実施例」の語は、ある実施例に関して説明した特定の特性、構造又は特徴が開示される主題の少なくとも一つの実施例に含まれることを意味する。従ってこの明細書を通して様々な場所に現れる「一実施例」、「ある実施例」又は「幾つかの実施例」の語は、必ずしも同じ実施例を参照しているとは限らない。さらに、特定の特性、構造又は特徴は、一つ又は複数の実施例において任意の適当な方法で組合せられ得る。
【００２５】
本発明によるトリマーヘッドの第一実施例を、図１〜６を参照して以下に説明していく。
【００２６】
この実施例では、トリマーヘッド全体が符号１で示されている。トリマーヘッド１は、ハウジング３を有し、このハウジング３は、上側部分３Ａと下側部分３Ｂを有し得る。図示実施例では、上側部分３Ａ及び下側部分３Ｂは、例えば、上側部分３Ａに一体に形成され得る弾性タブ５と、ハウジングの下側部分３Ｂの縁部９に設けられ得るスロット７とを用いて、相互にスナップ連結されている。ハウジング３の二つの部分３Ａ及び３Ｂを連結する方法は、図示した方法と異なる方法でもよく、トリマーヘッドの動作中に、二つの部分が軸方向及びねじり方向に結合されるように、ハウジング３の二つの部分３Ａ及び３Ｂを連結するために適切な任意の手段を使用することができることは理解されるべきである。
【００２７】
Ａ−Ａはヘッド回転軸線を示しており、トリマーヘッドが刈払機又は類似の機械（図示せず）に連結された時に、その周りでトリマーヘッドが回転する。
【００２８】
トリマーヘッド１のハウジング３の内部には空間１１が設けられ、その空間１１の内部にスプール１３が挿入され得る。図１〜図６の実施例では、ハウジング３は、連結される二つの半体から成り、（以下に説明する制御ノブを除いて）スプールを完全に囲んでいるが、ハウジングを開口させて、スプール、例えば、そのフランジが、ハウジング閉鎖要素を形成することも可能である。
【００２９】
図示実施例では、スプール１３は、フランジ１３Ａ、フランジ１３Ｂ及び中央壁１３Ｃを備え、中央壁１３Ｃは、この実施例では、ほぼ円筒形であり、二つのフランジ１３Ａ及び１３Ｂの一方から他方へスプール軸線Ｂ−Ｂと並行にのびている。組立時、即ち、スプール１３をハウジング３の内部の空間１１に収容する時、スプール１３の軸線Ｂ−Ｂは、トリマーヘッド１の回転軸線Ａ−Ａと同軸にされ得る。
【００３０】
図示実施例では、スプール１３は、さらに、フランジ１３Ｂの外面、即ち、スプール１３のフランジ１３Ａと面する表面の反対側の表面から突出するボタン又はノブ１３Ｄを有する。ボタン、即ち、ノブ１３Ｄは、ハウジング３の下側部分３Ｂに設けられた中心孔（図５参照）を介して突出し、スプール１３に巻かれた切断ラインを供給し、及び／又は以下により良く説明するように、スプールのラインストックを元の状態に戻す必要がある時に、スプール１３の周りへの切断ラインの巻取りを容易にするための作動部材を構成する。
【００３１】
この実施例では、例えば、ペグ又はピン１５の形態の線状切断ライン固定要素が、フランジ１３Ａとフランジ１３Ｂとの間でのびている。図示実施例では、ピンは、スプール軸線Ｂ−Ｂに実質的に並行にのび、実質的に円形の断面を有する柱状又はポスト状の形状である。図６（Ａ）〜（Ｃ）により良く示すように、図示実施例では、４本のピン１５が設けられており、これらは、軸線Ｂ−Ｂと同軸の円周に沿って、例えば、９０°の一定の角度ピッチで配置されている。連続して配置された一対の切断ライン固定要素１５の間には、後で詳述するように、切断ラインが導入され得る空間が設けられている。
【００３２】
スプール軸線Ｂ−Ｂからのペグ又はピン１５の距離、即ち、ピン１５が並べられた円の半径は、中央壁１３Ｃの外径寸法よりも大きく、各ピン１５と、スプール軸線と同軸にのびるスプール１３の中央壁１３Ｃの外面との間に空間が残るようにされている。
【００３３】
図示実施例では、ハウジング３は、以下に説明する方法でスプール１３の周りに巻かれた符号Ｆで示す切断ライン用の二つの切断ライン通過孔１７を有する。
【００３４】
図１〜６の実施例では、ブッシュ１９が切断ラインＦ用の通過孔１７の内部に挿入されている。幾つかの実施例（図示せず）では、ブッシュは金属で形成され得、かつ、実質的に円筒状の形状を有する。逆に、図１〜図６に示した実施例では、各ブッシュ１９は、切断ラインの先端用の周辺ガイド２３を形成する各構成要素２１の一体部分を形成する。より具体的には、ハウジング３の上側部分３Ａが部分的に除去され、スプール１３が外された図５に詳細に示すように、各インサート（構成要素）２１は、各ブッシュ１９を形成する中央部分に対して実質的に対称であり得る湾曲アームを有する。各湾曲アームは、各溝を有し、各溝は、湾曲アームのハウジングの内側に面する表面、即ち、トリマーヘッド１の回転軸線Ａ−Ａに向いた表面上でのびている。前記溝は、ガイド２３を画定し、通過孔、即ち、ブッシュ１９に設けられた開口１９Ａで収束する。要するに、ガイド２３は、ライン通過孔１９Ａの軸線に向けて収束する。図６（Ａ）〜図６（Ｃ）の順序を参照してより良く説明するように、インサート２１に設けられたガイド２３は、切断ラインストックをトリマーヘッド１の内部で巻き始める時に、切断ラインＦの挿入を容易にする。
【００３５】
上述したように構成されたトリマーヘッド１によって、ハウジング３の内部でスプール１３の周りに切断ラインＦのストックの装填することが非常に容易になり、ハウジング３を開くことなく、図６（Ａ）〜（Ｃ）の順序に従って行うことができるようになる。これらの図面は、スプール１３のフランジ１３Ａ及び１３Ｂ間の中間位置にあり、軸線Ａ−Ａに対して直交する平面に従った、ハウジング３及びスプール１３の断面を概略的に示している。
【００３６】
図６（Ａ）〜（Ｃ）の断面は、スプール１３のフランジ１３Ｂに加えて、ブッシュ１９、ペグ又はピン１５及びスプール１３の中央壁１３Ｃを断面で示している。符号Ｆは切断ラインを示し、符号ＦＴは、切断ラインの先端を示している。
【００３７】
図６Ａは、ハウジング３に設けられた通過孔１７の一方に切断ラインＦの先端ＦＴを挿入する第一挿入ステップを示している。前記通過孔１７の内部には、切断ラインＦ用の通過孔１９Ａを形成するブッシュ１９が挿入されている。ブッシュ１９の開口１９Ａに切断ラインＦを挿入することにより、その先端ＦＴは、連続して配置された二つの切断ライン固定要素又はピン１５の間の空間に入り、実質的に径方向に沿って貫通して、スプール１３の中央壁１３Ｃに接触し、それにより横方向にそれる。その結果、切断ラインＦの先端ＦＴは、中央壁１３Ｃとピン１５の一方との間を通る。
【００３８】
矢印Ｓに従って切断ラインＦを押すことにより、先端ＦＴは、ハウジング３における切断ラインＦを挿入した開口１９Ａの反対側に設けられたインサート２１によって形成された周辺ガイド２３の一方に到達する。ガイド２３は、ラインが入るブッシュ１９の反対側のブッシュ１９の開口１９Ａに向けて切断ラインＦの先端ＦＴを偏向させる。
【００３９】
図６Ｂは、切断ラインＦの先端ＦＴと対向するガイド２３との間の相互作用により、どのおようにして、切断ラインＦの最初の部分が曲がり、対向する通過孔１９Ａに向けて偏向させられるかを示している。
【００４０】
切断ラインＦの先端ＦＴが、矢印Ｓに従って動き続けて、切断ラインＦが挿入される開口１９Ａの反対側の開口１９Ａの縁部に到達すると、先端ＦＴは、開口１９Ａを貫通し、それを横切り、挿入側と反対側で、ヘッド１のハウジング３から出る。
【００４１】
切断ラインＦが図６Ｃの位置に達すると、切断ラインＦは、それが十分な長さになるまで先端ＦＴから引き出され得る。切断ラインが、非常に長いリールから引き出される場合、十分な長さ（例えば、数メートル）のラインストックを供給リールから切断することが可能になり、トリマーヘッド１の長時間の使用が保証される。切断ラインＦは、二つの通過孔１７を通過して同じ長さで突出するように、ヘッド１に対して配置される。
【００４２】
この状態に達した後、即ち、数メートルの長さである、切断ラインＦの二つの実質的に等しいセグメントをトリマーヘッド１から突出させた後、例えば、一方の手でハウジング３を保持し、他方の手でハウジングから突出するノブ１３Ｄを動作させて、ハウジング３に対してスプール１３を回転することによって、切断ラインをスプール１３に巻く。
【００４３】
図６（Ｃ）では、矢印ＦＡは、ハウジング３の内部におけるスプール１３の回転を示している。スプール１３が、トリマーヘッド１の軸線Ａ−Ａ周りを矢印ＦＡに従って回転すると、ピン１５のおかげで、その中心位置で、スプール１３に固定されたままで、切断ラインＦは、ペグ又はピン１５及び中央壁１３Ｃの周りに巻かれ始め、スプール１３にラインターンのストックを形成し、通過孔１７から突出している二本の切断ラインＦは、トリマーヘッド１の内部に徐々に引き込まれる。巻取りは、ヘッドの動作に適した長さ、例えば、数十センチメートルの長さを有するラインＦの二つのセグメントがハウジング３から突出した状態になるまで続く。
【００４４】
上述した説明から明らかなように、ハウジング３を開く必要がなく、かつ、切断ラインＦの先端ＦＴを、スプール１３に設けられた孔又は通路内に正確にガイドする必要がない点において、ヘッド１への切断ラインＦの再装填は早く、かつ、容易になる。切断ラインＦの先端ＦＴを入口開口１９Ａに挿入し、それが反対側の開口１９Ａから出るように、ハウジング３の内部空間にそれを押し込むだけで十分である。切断ラインＦの先端ＦＴは、ピン１５と中央壁１３Ｃの外周面との間に挿入され、かつ、ガイド２３の一つによって案内され、先端ＦＴは入口開口の反対側の開口１９Ａに達して、該開口１９Ａを通過する。
【００４５】
両方の開口１９Ａにガイド２３を配置することによって、二つの開口１９Ａの一方又は他方に切断ラインＦを挿入することが可能になる。別のあまり有利でない実施例では、ガイド２３は、二つの開口１９Ａの一方のみに設けられ、例えば、ハウジング３の外面に、使用者が、二つの開口１９Ａのどちらが切断ラインＦの先端ＦＴの挿入に使用できるか、即ち、ガイド２３が設けられた開口と反対側の開口を識別することを可能にする目印を設けることができる。しかし、使用上の利便性と、トリマーヘッド１のバランスをとるための動的な理由の両方のために、一対のガイド２３を使用することが好ましい。
【００４６】
トリマーヘッド１には、それ自体が公知であり、以下に説明されない任意の適当なライン巻取り及び巻解き機構が設けられ得る。
【００４７】
図７（Ａ）〜（Ｅ）の順序は、変形実施例においてラインを導入するための同じ操作を示しており、この例では、切断ラインＦの先端ＦＴ用のガイド２３の構成が異なる。図７（Ａ）及び図７（Ｂ）に示した実施例では、ガイド２３は、ハウジング３の側壁と一体に形成されている。側壁は、ブッシュが挿入される孔を有し、これらのブッシュは、例えば、金属で形成され、開口１９Ａが設けられている。この実施例では、開口のサイズは、図６（Ａ）〜図６（Ｃ）に示された開口のサイズより大きく、かつ、ガイド２３とは別体の構成要素として形成されている。切断ラインＦの挿入手順は、実質的に、図６（Ａ）〜図６（Ｃ）を参照した上述の説明と同じである。切断ラインは、通過孔１９Ａ又は１９Ｂの一方に導入され、二つの連続して配置された切断ライン固定要素、即ち、ピン１５の間の空間を通り（図７（Ａ））、かつ、先端ＦＴが反対側の通過孔１９Ａに達するまで、前記切断ライン固定要素１５の一つと中央壁１３Ｃとの間の空間を通る（図７（Ｃ）及び（Ｄ））。十分な長さの切断ラインＦがハウジングから引き出されると、スプール１３及びハウジング３は、軸線Ａ−Ａを中心に一方が回転される。これにより、切断ラインＦは、切断ライン固定要素１５の一つの周りにループを形成し、それにより、切断ラインＦはスプール１３に固定される。さらに、回転させることで、トリマーヘッドの軸線Ａ−Ａの周りに、切断ラインターンＳＦの形態で切断ラインのストックが形成される。
【００４８】
図７（Ｅ）は、トリマーヘッド１の軸線Ａ−Ａの周りに巻かれた切断ラインＦのターンＳＦを示している。図７（Ａ）〜図７（Ｅ）の実施例では、ターンは、複数のピン１５の周りに巻かれている。
【００４９】
上記で説明した図面では、スプール１３には、スプール軸線Ｂ−Ｂと同軸上にあり実質的に円筒形であり得る中央壁１３Ｃが設けられているが、別の実施例では、スプール１３に前記壁を設けなくてもよい。中央壁１３Ｃは、例えば、スプールが挿入され得るトリマーヘッド１のタイプに応じて、設けてもよいし、省略してもよい。
【００５０】
中央壁１３Ｃが設けられていなくても、切断ラインＦのストックは、上述したように、ハウジング３を開けることなく、切断ラインＦの先端ＦＴを挿入して巻くことができる。
【００５１】
図８（Ａ）〜図８（Ｄ）の順序は、切断ラインＦをトリマーヘッド１に挿入して巻き始める方法を示しており、ここでは、スプール１３には中央壁１３Ｃが設けられていない。この実施例では、切断ラインＦは、軸方向の障害物がないので、より簡単に挿入することができる。切断ラインＦの先端ＦＴは、実質的に径方向に貫通し、図８（Ａ）〜図８（Ｃ）から明らかなように、より簡単に入口開口１９Ａの反対側の開口１９Ａに到達する。作業中、切断ラインＦは、二つの連続して配置された切断ライン固定要素又はピン１５の間の空間に導入される（図８（Ａ））。切断ラインＦが、二つの開口１９Ａから実質的に同じ長さで突出する図８（Ｃ）の位置に達すると、例えば、矢印ＦＡに従って、内部にスプール１３が設けられたハウジング３に対してスプール１３を回転させることが可能になり、切断ラインＦのターンＳＦを形成し、トリマーヘッド１用のラインストックを形成する。ピン１５の周りにループを形成することによって、切断ラインＦはスプールに固定される。
【００５２】
また、図７（Ａ）〜図７（Ｅ）に加えて、図８（Ａ）〜図８（Ｄ）でも、切断ラインＦのターンは、複数の切断ライン固定要素、即ち、ピン１５の周りに巻かれる。
【００５３】
図９〜図１１は、各々、ハウジング３から分離したスプール１３の実施例の側面図、等角投影図及び平面図を示している。同じ参照符号は、図１〜図５を参照して既に説明した部材を示す。スプール軸線Ｂ−Ｂと同軸であり実質的に円筒形の中央壁１３Ｃ及び４本のピン１５に加えて、二つのフランジ１３Ａ及び１３Ｂが示されている。また、フランジ１３Ｂから突出するノブ１３Ｄが示されている。
【００５４】
この実施例では、フランジ１３Ａ及び１３Ｂの二つの外面上に、歯３１及び３３が設けられている。これらの歯３１及び３３は、トリマーヘッド１の使用中にラインを伸ばすための機構の一部である。ライン伸長機構は本質的に公知であり、この明細書では詳細には説明されない。簡単に説明すると、ライン伸長機構は、歯３１及び３３と協働するハウジング３の内側面に設けられた当接部に加えて、ハウジング３の内部でスプール１３を軸方向に付勢する弾性部材とを備えている。
【００５５】
図９〜図１１のスプール１３は、プラスチックで形成され、一部品として成形され得る。
【００５６】
中央壁１３Ｃで囲まれ、図１０及び図１１において符号１３Ｅで示された内側空間には、トリマーヘッド１を刈払機又は他の機械（図示せず）の駆動軸に連結するための連結シャフトが設けられ得る。空間１３Ｅには、スプリングが収容され得、このスプリングは、ハウジング３の下側部材３Ｂに対してスプール１３を押し、切断ラインＦ用の伸長機構の一部をなす。
【００５７】
別の実施例では、スプール１３は、二つの別体の成形部材から成り得、これらは、接着、超音波溶接又は任意の他の適当な方法によって結合される。図１２及び図１３は、二つの部材を有するスプール１３の側面図及び等角投影図を各々示しており、これらの部材は連結可能であり、図１２及び図１３では、これらの部材は展開図で別々に示されている。同じ符号は、既に上述した部材と同一又は同等の部材を示している。
【００５８】
図１２及び図１３に示すように、この実施例では、スプール１３は、第一部材及び第二部材を備えた二つの部材から成り、
・第一部材は、フランジ１３Ａ、歯３１及びスプール軸線Ｂ−Ｂと同軸の中央壁１３Ｃから成り、
・第二部材は、フランジ１３Ｂ、歯３３、ノブ１３Ｄ及びピン１５から成る。
図示実施例では、中央壁１３Ｃは、スプール１３の下側部分に設けられた孔１３Ｇに挿入されるシャンク１３Ｆまでのびている。スプール１３を形成する二つの部材は、軸方向円筒壁１３Ｃのシャンク１３Ｆをシート（孔）１３Ｇに溶接することによって連結され得る。
【００５９】
スプール１３の二つの別々に成形され、その後、連結される部材は、図１２及び図１３に示したものとは異なるように分割され得る。図１４及び図１５には改良実施例が示されている。図１４及び図１５は、二つの構成部材に分解したスプール１３の側面図及び等角投影図を示している。この実施例では、スプール１３の第一部材は、フランジ１３Ａ、フランジ１３Ｂ、ほぼ円筒形の中央壁１３Ｃ、歯３１及び歯３３を備えている。フランジ１３Ａ及び１３Ｂは、両方共、貫通孔４１及び４３を有し得る（図１５参照）。
【００６０】
スプールの第二部分は、ノブ１３Ｄ及びピン１５を有する。
【００６１】
スプール１３の二つの部材は、フランジ１３Ａ及び１３Ｂに設けられた孔４３及び４１にピン１５を挿入して、例えば、溶接又は接着することによって連結される。別の実施例では、孔４３のみを設けることも可能であり、その場合、ピン１５は短くされ、フランジ１３Ａの内側面に当接するように、又は内側面の非常に近くに位置するようにされる。
【００６２】
上述した実施例では、スプール１３に切断ラインＦを固定するための固定要素を形成するピン１５は、ピンが、スプール軸線Ｂ−Ｂとほぼ同軸に設けられた中央壁１３Ｃの外側に位置するような距離だけスプールの軸線Ｂ−Ｂから離して設けられる。逆に、他の実施例では、切断ラインＦ用の固定要素を形成するピン１５は、円筒状壁１３Ｃと一体に設けてもよい。スプール１３のこの種の二つの実施例は、図１６、１７及び図１８、１９に各々示されている。これら四つの図面では、同じ符号は、先の実施例を参照して既に説明した部材と同一又はそれらに対応する部材を示し、再度、説明はしない。
【００６３】
図１６及び図１７では、中央壁１３Ｃは、フランジ１３Ａの一部を形成し、かつ、二つのフランジ１３Ａ及び１３Ｂの内面間の距離Ｄより短い軸方向長さＬを有する。ピン１５は、実質的に、フランジ１３Ｂに向かう中央壁１３Ｃの伸長部のように形成されており、かつ、実質的に距離Ｄと距離Ｌとの差に対応する長さを有する。実際には、スプール軸線Ｂ−Ｂと同軸の中央壁１３Ｃには、四つの大きな窓部が設けられ、これら窓部は、各々、二つの連続して配置された切断ライン固定要素、即ち、ピン１５の間に残された空間によって形成されている。図６（Ａ）〜図６（Ｃ）に示した順序に従って、ラインＦをハウジング３に収容されたスプール１３に挿入する時に、切断ラインＦの先端ＦＴは、前記窓部を通過し得る。
【００６４】
図１８及び１９は、図１６及び１７の構成と実質的に同等の構成を示しており、この実施例では、スプール１３の軸線Ｂ−Ｂと同軸の中央壁１３Ｃが、二つの部材に分割されている点で異なる。各壁１３Ｃは、二つのフランジ１３Ａ及び１３Ｂの各一方に属し、各々フランジ１３Ａ及びフランジ１３Ｂの内面から突出している。中央壁１３Ｃの中心領域は隔てられており、中央壁１３Ｃの二つの部分は、ピン１５によって結合されている。従って、この構成では、円筒状壁１３Ｃにおいて連続して配置されたピン１５によって区切られた空間、即ち、窓部は、図１６及び１７に示すようにフランジ１３Ｂの近くに配置される代わりに、中央壁１３Ｃの軸方向伸長部の中間部分に配置される。他のあまり有利でない実施例では、ピン１５は、フランジ１３Ａの内面の近くに配置され得る。切断ラインＦは、通過孔１９Ａの一つを介してハウジング内に導入され、一対の連続して配置された切断ライン固定要素１５の間に形成された前記窓部、即ち、空間の中の第一の窓部及び第二の窓部を貫通する。
【００６５】
図８（Ａ）〜図８（Ｄ）を参照して先に説明したように、幾つかの実施例では、スプール１３は、スプール軸線Ｂ−Ｂと同軸の中央壁１３Ｃを省略することができる。図２０及び２１は、この種のスプール１３の側面図及び等角投影図を示している。同じ符号は、上述した部材と同一又は同等の部材を示し、さらに詳細な説明はしない。フランジ１３Ａ及び１３Ｂの間には、切断ラインＦ用の固定要素を形成するピン１５だけが設けられており、中央壁１３Ｃは省略されている。
【００６６】
図２２及び２３は、フランジ１３Ａを除いたスプール１３の等角投影図及び平面図を示している。フランジは、切断ラインＦ用の固定要素を形成するピン１５の頂部に設けられ得るが、幾つかの実施例では、フランジ１３Ａを完全に省略することもできる。
【００６７】
図２４及び２５は、図２２及び２３に示した実施例と類似した改良実施例を示しており、ここでは、４本のピンの代わりに１２本のピン１５が設けられており、これらは、切断ラインＦ用の１２本の固定要素を形成する。スプール１３のフランジ１３Ａ及び中央壁１３Ｃを有さずに１２本のピン１５を有するこの構成は、上述した他の実施例でも使用することができる。さらに別の実施例では、切断ラインＦ用の固定要素を形成する異なる数のピン１５が設けられ得る。
【００６８】
上述した図面では、切断ライン固定要素は、円形の断面を有し、スプール１３の軸線Ｂ−Ｂと並行にのび、軸線Ｂ−Ｂの周りに、軸線Ｂ−Ｂから離して円形に配置したピン又は柱状要素１５として表されている。これは、切断ラインＦ用の固定要素の唯一可能な構成ではない。
【００６９】
即ち、これらの固定要素は、例えば、非円形の断面、むしろ楕円形の断面又は多角形の断面を有するピンであってもよい。
【００７０】
図２６及び図２７は、各々スプール１３の等角投影図及び平面図を示しており、これらの図では、スプール１３のフランジ１３Ｂのみが示されており、フランジ１３Ｂには、４本のピン１５が設けられ、その形状は、上述したピンの形状と等しい。また、フランジ１３Ｂには、符号１６で示された切断ラインＦ用の二つの形状が異なる固定要素が設けられている。固定要素１６は、ほぼフィンの形状であり、好ましくは、湾曲され、例えば、スプール１３の軸線Ｂ−Ｂと同軸の円筒状表面によって画定されている。図２７には、円筒状表面が符号１６Ａ及び１６Ｂによって各々示されている。
【００７１】
変形実施例では、例えば、図２８及び図２９に示すように、ピン状要素１５を使用することなく、切断ラインＦ用の全ての固定要素が、フィン状要素１６として形成され得る。
【００７２】
図２６〜図２９では、固定要素１６が、フランジ１３Ａを省略し、かつ、中央壁１３Ｃを有しないスプール１３との組み合わせで表されているが、切断ラインＦ用の固定要素１６のこの変形実施例は、異なる構成のスプール１３、例えば、中央壁１３Ｃが設けられたスプール１３及び／又は上側フランジ１３Ａを有するスプール１３にも使用され得ることは理解されるべきである。
【００７３】
先に説明した実施例と同様に、図２６〜図２９においても、各対の連続して配置された固定要素１５及び１６の間に空間が設けられる。切断ラインＦは、図６，７及び８を参照して説明したことと同様に、連続して配置された固定要素１５及び１６の間の空間を通して導入され、ハウジング３内のスプール１３を回転させることによって、切断ラインＦが一つ又は複数の固定要素１５及び１６の周りにループを形成し、スプール１３に係合されたままになる。
【００７４】
図３０及び３１は、本発明によるトリマーヘッド１用のスプール１３の別の変形実施例を示している。この実施例では、スプール１３は、別々に成形され、溶接、接着又は他の適当な方法で結合される二つの部材で構成されている。適切な成形型を使用することによって、図３０及び３１のスプールは、一回の成形動作によって、単一部材としても成形され得ることは理解されるべきである。
【００７５】
図３０及び３１の実施例では、スプール１３は、スプール１３の軸線Ｂ−Ｂと同軸に、相互に離間して配置されたフランジ１３Ａ及びフランジ１３Ｂを備える。例えば、円筒状の中央壁１３Ｃは、二つのフランジ１３Ａ及び１３Ｂ間でのび得る。図３０及び３１のスプール１３は、下側フランジ１３Ｂから突出するノブ１３Ｄを備えていない。
【００７６】
図３０及び３１の実施例では、切断ラインＦ用の固定要素１５は、ピン又は柱状の形態であり、スプール１３の軸線Ｂ−Ｂの周りに配置された４本のピンの形態である。この実施例においては、異なる形状又は異なる数の固定要素を設けてもよい。
【００７７】
スプール１３の製造を容易にするために、ピン１５によって形成された切断ラインＦ用の固定要素は、フランジ１３Ａ及び１３Ｂ並びに中央壁１３Ｃを備えたスプール本体とは別体の構成要素上に形成され得る。ピン１５を備えた構成要素は、また、ピン１５を連結するリング１８を有し、ピン１５は、リング１８と一部品で成形され得、例えば、フランジ１３Ｂに設けられた貫通孔４３に挿入することで、一対のフランジ１３Ａ及び１３Ｂにより簡単に装着され得る（図３１参照）。組立てるとスプール１３を形成する二つの構成要素は、例えば、溶接又は接着することによって結合され得、ここでは、有利にはリング１８の上面がフランジ１３Ｂの外面に接着される。ピン１５の端部は、フランジ１３Ａの内面に接着され得る。
【００７８】
他の実施例では、ピン１５は、別体の構成要素として製造され得、貫通孔４３に個別に挿入され、フランジ１３Ｂに、又はフランジ１３Ａ及び１３Ｂの両方に、適切に溶接又は接着される。
【００７９】
図３０及び３１の実施例では、円筒状壁１３Ｃの内面は、切断ラインＦの緩やかな伸長を制御するためにトリマーヘッド１に設けられた不図示の公知の部材と協働するのに適した歯４５を形成する。
【００８０】
図３２，３３及び３４は、本発明によるトリマーヘッドで使用するスプール１３の別の実施例を示している。同じ符号は、先の実施例を参照して説明した部材と同一又は同等の部材を示す。この実施例では、例えば、金属インサート４９（図３３及び３４参照）を備えたシャンク４７が、フランジ１３Ａの外面から突出している。金属インサート４９は、刈払機の駆動軸に直接スプールを螺合するための内側ネジ付き孔５１を有し得る。ネジ付孔５１の代わりに、インサート４９から突出するネジ付ピンを設けてもよい。
【００８１】
先の実施例のように、この実施例では、スプール１３のフランジ１３Ａ及び１３Ｂの間に、符号１５で示される切断ラインＦ用の固定要素が設けられており、これら固定要素は、この実施例では、柱状又はピン状に構成されている。中央壁１３Ｃは、フランジ１３Ａ及び１３Ｂの間のスプール１３の軸線Ｂ−Ｂと同軸の位置に設けられ、中央壁の外径は、ピン１５が配置されているラインの直径より小さく、上述した目的のために、各ピン１５と中央壁１３Ｃの外面との間に自由空間が残るようにされている。
【００８２】
図３５，３６及び３７は、フランジ１３Ｂと共に、トリマーヘッド１の閉鎖蓋を形成するように構成されたスプール１３の変形実施例を示している。フランジ１３Ｂは、トリマーヘッド１のハウジング３の部分３Ａの縁部を囲み得る周囲縁部５３を備えている。この実施例では、ハウジングは、スプール１３の一部で閉鎖される。この実施例では、スプール１３の軸線Ｂ−Ｂと同軸の中央壁、例えば、円筒状壁１３Ｃが、フランジ１３Ａ及び１３Ｂの間に設けられ得る。二つのフランジ１３Ａ及び１３Ｂの間には、切断ラインＦ用の固定要素を形成するピン１５が設けられる。
【００８３】
図３８，３９及び４０は、本発明によるトリマーヘッド１用のスプール１３の別の実施例を示している。同一の符号は、上述した実施例の部材と同一又は同等の部材を示す。また、この実施例では、スプール１３は、二つのフランジ１３Ａ及び１３Ｂを有し、その間で、中央壁、例えば、円筒状壁１３Ｄが、スプール１３の軸線Ｂ−Ｂと実質的に同軸にのびている。ピン１５は、壁１３Ｃの外面から径方向に距離を開けて設けられており、切断ラインＦ用の固定要素を形成する。二つのフランジ１３Ａ及び１３Ｂの外面からは、歯３１及び３３が突出しており、これらは、切断ラインの伸長を制御するためにトリマーヘッド１のハウジング３に一体に設けられた公知の要素と協働するように構成されている。
【００８４】
図４１，４２及び４３は、本発明によるトリマーヘッド用のスプール１３の別の実施例を示しており、同じ符号は、上述した実施例の部材と同一又は同等の部材を示している。
【００８５】
図４１〜４３のスプールは、実質的に、図３０及び３１のスプールと同様であるが、一部品として成形されている。
【００８６】
図面は、本発明の実際的は構成による実施例を示しているにすぎず、本発明の基礎となる概念の範囲から逸脱することなく、形態及び構成を変更できることは理解される。特許請求の範囲における符号は、明細書の説明及び図面を参照して特許請求の範囲を読み易くするために設けたもので、特許請求の範囲の保護範囲を限定するものではない。
【図１】
2018529366.tif 000003
【図２】
2018529366.tif 000004
【図３】
2018529366.tif 000005
【図４】
2018529366.tif 000006
【図５】
2018529366.tif 000007
【図６（Ａ）】
2018529366.tif 000008
【図６（Ｂ）】
2018529366.tif 000009
【図６（Ｃ）】
2018529366.tif 000010
【図７（Ａ）】
2018529366.tif 000011
【図７（Ｂ）】
2018529366.tif 000012
【図７（Ｃ）】
2018529366.tif 000013
【図７（Ｄ）】
2018529366.tif 000014
【図７（Ｅ）】
2018529366.tif 000015
【図８（Ａ）】
2018529366.tif 000016
【図８（Ｂ）】
2018529366.tif 000017
【図８（Ｃ）】
2018529366.tif 000018
【図８（Ｄ）】
2018529366.tif 000019
【図９】
2018529366.tif 000020
【図１０】
2018529366.tif 000021
【図１１】
2018529366.tif 000022
【図１２】
2018529366.tif 000023
【図１３】
2018529366.tif 000024
【図１４】
2018529366.tif 000025
【図１５】
2018529366.tif 000026
【図１６】
2018529366.tif 000027
【図１７】
2018529366.tif 000028
【図１８】
2018529366.tif 000029
【図１９】
2018529366.tif 000030
【図２０】
2018529366.tif 000031
【図２１】
2018529366.tif 000032
【図２２】
2018529366.tif 000033
【図２３】
2018529366.tif 000034
【図２４】
2018529366.tif 000035
【図２５】
2018529366.tif 000036
【図２６】
2018529366.tif 000037
【図２７】
2018529366.tif 000038
【図２８】
2018529366.tif 000039
【図２９】
2018529366.tif 000040
【図３０】
2018529366.tif 000041
【図３１】
2018529366.tif 000042
【図３２】
2018529366.tif 000043
【図３３】
2018529366.tif 000044
【図３４】
2018529366.tif 000045
【図３５】
2018529366.tif 000046
【図３６】
2018529366.tif 000047
【図３７】
2018529366.tif 000048
【図３８】
2018529366.tif 000049
【図３９】
2018529366.tif 000050
【図４０】
2018529366.tif 000051
【図４１】
2018529366.tif 000052
【図４２】
2018529366.tif 000053
【図４３】
2018529366.tif 000054
【国際調査報告】
2018529366.tif 000055
2018529366.tif 000056